(57)【特許請求の範囲】
【請求項１】
上面が開口した直方形のガラス水槽と、複数のガラス水槽が縦横に載置され該各ガラス水槽の上部に観賞魚を出し入れできる空隙が形成されるようにした陳列棚と、該陳列棚の上部に配設されていて一定量の水道水が貯留される貯水タンクと、該空隙の前側に開閉可能に設けられる開閉板と、該各ガラス水槽の上部に設けられ該各ガラス水槽内を上方から照らす照明灯と、前記空隙に外気を吹き込むように設けられた冷却用ファンと、前記各ガラス水槽および貯水タンクに設けられた保温用ヒータと、前記各ガラス水槽にバブリング用空気を補給する空気ポンプと、前記貯水タンクの貯留水を各ガラス水槽に補給する給水管とを具備し、該各給水管に該各ガラス水槽の水面に浮かんで該各ガラス水槽の水位を一定に保つフロート弁を設けたことを特徴とする観賞魚展示販売用多段型水槽台。
【請求項２】
フロート弁は、各ガラス水槽上に下向きとなるように止水栓の二次側に吐水筒を配設し、該吐水筒の下端開口縁に弁座を形状すると共に、該吐水筒に筒状のフロータ支持部材を装着し、中空状に形成されたフロータの上部に軸部を一体に形成し、該軸部を該フロータ支持部材中に遊嵌し、該軸部の上端面に設けられた弁体を前記弁座に対峙させてなるものである請求項１に記載の観賞魚展示販売用多段型水槽台。
【請求項３】
観賞魚の名称およびその販売価格等が表示された展示カードを開閉板の前面に設けた請求項１または２に記載の観賞魚展示販売用多段型水槽台。
【発明の詳細な説明】
【技術分野】
【０００１】
本発明は、熱帯魚、金魚等の多種の観賞魚を展示販売するために店舗内に設けられる多段型水槽台に関するものである。
【背景技術】
【０００２】
熱帯魚、金魚等の多種の観賞魚を展示販売するホームセンター、ペットショップ等の店舗では、一般にガラス水槽に種類毎に区分けして観賞魚が容れられ、これらのガラス水槽を陳列棚に縦横に載置し、該各ガラス水槽に水温を一定に保つための保温用ヒータおよび冷却用ファンを設けると共に、各ガラス水槽にバブリング用空気を補給する空気ポンプが設けられ、さらに該各ガラス水槽に給水管、排水管およびオーバーフロー管が設けられている。そして店員が各ガラス水槽の状況を常にチェックするようにしている。
なお下記特許文献１は、ホテル，レストラン、或いは一般家庭等に設置される観賞魚用水槽を示すもので、同水槽には浄水のための濾過装置が水槽内に設けられている。
【特許文献１】特開平８−９８１９号公報
【発明の開示】
【発明が解決しようとする課題】
【０００３】
ところで、観賞魚を展示販売するためのガラス水槽は、特許文献１に示されたような単独で設置される水槽と違い、観賞魚の種類毎に区分けして多数の水槽に容れられ最適水温も各観賞魚の種類によって異なるので、店員はこれら多数の水槽について見落とすことなく状態を管理する必要があり、また、各ガラス水槽の水は蒸発や販売時に水が汲み出されたりすることによって水位が下がるため、不足する水を適量補給する必要があり、そのための給水栓の操作も店員が行う必要があり、これらの十分な管理が行われないと観賞魚が死んで大きな損失になるという問題があった。
このため、観賞魚の展示販売にはこれら管理のため大きなコストを要するものであった。
本発明はこのような従来の観賞魚展示販売の問題点を解消し得る多段型水槽台を提供しようとするものである。
【課題を解決するための手段】
【０００４】
そのために請求項１に記載の観賞魚展示販売用多段型水槽台は、上面が開口した直方形のガラス水槽と、複数のガラス水槽が縦横に載置され該各ガラス水槽の上部に観賞魚を出し入れできる空隙が形成されるようにした陳列棚と、該陳列棚の上部に配設されていて一定量の水道水が貯留される貯水タンクと、該空隙の前側に開閉可能に設けられる開閉板と、該各ガラス水槽の上部に設けられ該各ガラス水槽内を上方から照らす照明灯と、前記空隙に外気を吹き込むように設けられた冷却用ファンと、前記各ガラス水槽および貯水タンクに設けられた保温用ヒータと、前記各ガラス水槽にバブリング用空気を補給する空気ポンプと、前記貯水タンクの貯留水を各ガラス水槽に補給する給水管とを具備し、該各給水管に該各ガラス水槽の水面に浮かんで該各ガラス水槽の水位を一定に保つフロート弁を設けたことを特徴とする。
【０００５】
また、請求項２に記載の発明は上記観賞魚展示販売用多段型水槽台において、フロート弁は、各ガラス水槽上に下向きとなるように止水栓の二次側に吐水筒を配設し、該吐水筒の下端開口縁に弁座を形状すると共に、該吐水筒に筒状のフロータ支持部材を装着し、中空状に形成されたフロータの上部に軸部を一体に形成し、該軸部を該フロータ支持部材中に遊嵌し、該軸部の上端面に設けられた弁体を前記弁座に対峙させてなることを特徴とする。
また、請求項３に記載の発明は上記観賞魚展示販売用多段型水槽台において、観賞魚の名称およびその販売価格等が表示された展示カードを開閉板の前面に着脱可能に設けたことを特徴とする。
【発明の効果】
【０００６】
請求項１に記載の発明では、狭いスペースでも多種の観賞魚を展示販売することができると共に、観賞魚を展示販売するに際して店員の手間が掛からず、管理が十分でなくても観賞魚を死なせてしまうようなおそれがないので多大な販売コストを要しない。
【０００７】
請求項２に記載のフロート弁は、貯水タンクとの水位差程度の低い水圧の補給水をフロータの浮力により直接開閉させる簡易な構造であり、いわゆるシスターンのように高圧力の水道水を開閉する機能はないものの、低コストで小型に構成することができる。このため該フロート弁を各ガラス水槽毎に低コストで設けることができると共に、該フロート弁を設けることでガラス水槽の上面を塞いでしまうようなこともないので、観賞魚の出し入れの邪魔になることがない。
請求項３に記載の発明では、各ガラス水槽毎に観賞魚の名称およびその販売価格等が表示されることから、ホームセンター、ペットショップ等の店舗における展示販売を容易にする。
【発明を実施するための最良の形態】
【０００８】
次に本発明の実施形態を図面に従い説明する。図１は本発明に係る観賞魚展示販売用多段型水槽台の正面図、図２はその縦断面図、図３は配管系統図である。図中、１ａ〜１ｉは少なくとも前面に透明ガラスが設けられ、上面が開口している直方形のガラス水槽、２は該ガラス水槽１ａ〜１ｉが縦横に載置される陳列棚で、各ガラス水槽の上部に観賞魚を出し入れできる空隙３ａ〜３ｃが形成されるように該各ガラス水槽を配置する。なお、陳列棚２の下部には備品収納ボックス２ａが形成されその前面に引戸２ｂが設けられている。
【０００９】
４は該陳列棚２の上部に配設された貯水タンクで、該貯水タンクには図３に示したように水道配管５にシスターン（水面に浮上するフロータ６ａが梃子杆６ｂの先端に設けられ、該梃子杆６ｂの基部に開閉弁６ａが設けられていて該梃子杆６ｂの作用により水道水を開閉させるもの）６を設けることにより、該貯水タンク内に常に一定量の水道水が貯留されるようにしている。そして該貯水タンクに水道水が２４時間程度貯留されることにより、水道水中に殺菌用として含まれている塩素を気化させ、観賞魚に悪影響のない、まろやかな水が生成されるようにしている。また、７は該貯水タンク内に設けられた保温用ヒータで、該保温用ヒータは温度センサ７ａによって検出された該貯水タンク内の水温と温度コントローラ７ｂに設定された水温に応じて作動し、該貯水タンク内の水温を２４〜２８℃程度に保つ。
【００１０】
また、８ａ〜８ｃは空隙３ａ〜３ｃの前側に蝶番９，９，…によって前方に開閉可能に吊下された開閉板、１０ａ〜１０ｉは各ガラス水槽１ａ〜１ｉ毎に該開閉板の前面に着脱可能に設けられた展示カードで、該展示カードに観賞魚の名称およびその販売価格等が表示される。なお、９ａは開閉板８ａ〜８ｃの裏面に設けられ該開閉板を閉止状態に保持する止具である。
【００１１】
また、１１は該各ガラス水槽１ａ〜１ｉに上部に設けられ該各ガラス水槽内を上方から照らす蛍光灯等の照明灯である。１２ａ〜１２ｃは空隙３ａ〜３ｃに外気を吹き込むように設けられた冷却用ファン、１３ａ〜１３ｉは各ガラス水槽に設けられた保温用ヒータ、１４ａ〜１４ｉは各ガラス水槽に設けられた温度センサ、１５ａ〜１５ｉは温度コントローラで、該温度センサによって各ガラス水槽内の水温が検知され、保温用ヒータ１３ａ〜１３ｉまたは冷却用ファン１２ａ〜１２ｃを作動させ、該各ガラス水槽内の水温が常に該温度コントローラに設定された水温に保たれる。
【００１２】
また、各ガラス水槽１ａ〜１ｉの底部には濾過砂１６ａ中からパイプ１６ｂが垂直に樹立するように設けられた濾過装置１６が設けられ、該パイプ１６ｂ中に空気ポンプ１７から給気管１７ａを介してバブリング用空気が補給され、各ガラス水槽内の水がこれにより循環され浄化される。
【００１３】
１８ａ〜１８ｉは前記貯水タンク４の底部より分岐配管され、該貯水タンクの貯留水を自重により各ガラス水槽１ａ〜１ｉに補給する給水管、１９ａ〜１９ｉは該各給水管に設けられた止水栓、２０ａ〜２０ｉは該止水栓の先に設けられたフロート弁である。該フロート弁は図４に側面図、図５に縦断面図を示したように、各ガラス水槽上に下向きとなるように止水栓の二次側に吐水筒２１を配設し、該吐水筒の下端開口縁に弁座２２を形状すると共に、該吐水筒の外周に筒状のフロータ支持部材２３を装着し、中空円錐形に形成されたフロータ２４の上部に一体に形成された軸部２５を該フロータ支持部材２３中に遊嵌し、該軸部２５の側面に突設されたピン２７をフロータ支持部材２３に形成された長孔２８中に遊嵌し、該軸部２５の上端面に設けられたゴム製の弁体２６を弁座２２に対峙させ、該フロータ２４を長孔２８の範囲内にて上下動自在に支持している。なお、フロータ支持部材２３の両側壁には透孔２９が開設されている。
【００１４】
このため、フロータ２４は、該各ガラス水槽の水面に浮かび、その水位が上下するのに従って上昇または下降し、水位が下がると弁体２６が弁座２２から離間することから、前記貯水タンク４から給水管１８ａ〜１８ｉを通って自重で流下して来た水が吐水筒２１の下端開口縁から流出し透孔２９から該各ガラス水槽中に補給される。また、該各ガラス水槽の水位が一定以上になると弁体２６が弁座２２に密着することでその水の補給が停止される。このようにフロート弁２０ａ〜２０ｉは、フロータ２４が上昇または下降することにより該フロータと一体的に設けられた弁体２６が上下し吐水筒２１を直接開閉させる構造で低水圧にのみ対応できる簡易な構造のものであることから、低コストで製造することができると共に、このフロート弁２０ａ〜２０ｉは小型であって狭い水槽の上にも配置できる。即ち、フロート弁２０ａ〜２０ｉは、貯水タンク４との水位差程度の低い水圧の補給水をフロータ２４の浮力により直接開閉させる簡易な構造であり、いわゆるシスターンのように高圧力の水道水を開閉する機能はないものの、低コストで小型に構成することができため、各ガラス水槽毎に低コストで設けることができると共に、該フロート弁を設けることでガラス水槽の上面を塞いでしまうようなことがなく、観賞魚を出し入れする際の邪魔にならない。
【００１５】
なお、２７ａ〜２７ｉは各水槽１ａ〜１ｉに設けられた排水栓、２８ａ〜２８ｉは各水槽１ａ〜１ｉに設けられたオーバーフロー排水管である。
【００１６】
このように構成した観賞魚展示販売用多段型水槽台は、ホームセンター、ペットショップ等の店舗に設置され、各ガラス水槽１ａ〜１ｉ毎に夫々同種の観賞魚を入れ、照明灯１１ａ〜１１ｃによって照らし出すと共に、展示カード１０ａ〜１０ｉに該各水槽の観賞魚の名称およびその販売価格等を表示することによって多種の観賞魚を省スペースで販売用に展示することができる。また、開閉板８ａ〜８ｃを開け、空隙３ａ〜３ｃに小型のタモ網を差し入れることで、各水槽中の観賞魚を前面から容易に出し入れすることができる。
【００１７】
また、温度コントローラ１５ａ〜１５ｉを温度設定することにより、各水槽毎に設けられた保温用ヒータ１３ａ〜１３ｉ、および各段毎に設けられた冷却用ファン１２ａ〜１２ｃが作動し、各水槽の水温を夫々観賞魚に適した値に自動的にコントロールすると共に、空気ポンプ１７から各水槽に補給されたバブリング用空気によって該各水槽の水が浄化される。このため温度コントローラ１５ａ〜１５ｉを各水槽毎に適温に設定することにより常に観賞魚の生育に適した環境が維持される。
【００１８】
また、各水槽の水が、観賞魚の販売時に同時に汲み出されたり、或いは蒸発することにより減って、水位が下がると、上記フロータ２４が下がって該フロート弁２０ａ〜２０ｉが開き、貯水タンク４から水が自動的に補給されることから、該各水槽の水位を常に一定に保つことができる。こうして貯水タンク４から補給される水は、該貯水タンク４に２４時間程貯留されることにより、観賞魚にとって有害な塩素等が気化され、かつ温度コントローラ７ｂによって２４〜２８℃程度に温度調節されていることから、該貯水タンク４からの給水が観賞魚に悪影響を与えるおそれはない。
【００１９】
このため、この観賞魚展示販売用多段型水槽台では、店員の手間が掛からず、また、管理が十分でなくても観賞魚を死なせてしまうようなおそれがないと共に、狭いスペースでも多種の観賞魚を展示販売することができる。
【図面の簡単な説明】
【００２０】
【図１】本発明の実施形態を示す観賞魚展示販売用多段型水槽台の正面図。
【図２】図１の観賞魚展示販売用多段型水槽台の縦断面図。
【図３】本発明の実施形態を示す観賞魚展示販売用多段型水槽台の配管系統図。
【図４】本発明の実施形態を示す観賞魚展示販売用多段型水槽台のフロート弁の側面図。
【図５】図４のフロート弁の縦断面図。
【符号の説明】
【００２１】
１ａ〜１ｉ        ガラス水槽
２                陳列棚
３ａ〜３ｃ        空隙
４                貯水タンク
７                保温用ヒータ
７ａ              温度センサ
７ｂ              温度コントローラ
８ａ〜８ｃ        開閉板
１０ａ〜１０ｉ    展示カード
１１ａ〜１１ｃ    照明灯
１２ａ〜１２ｃ    冷却用ファン
１３ａ〜１３ｉ    保温用ヒータ
１４ａ〜１４ｉ    温度センサ
１５ａ〜１５ｉ    温度コントローラ
１６              濾過装置
１６ａ            濾過砂
１６ｂ            パイプ
１７              空気ポンプ
１７ａ            給気管
１８ａ〜１８ｉ    給水管
１９ａ〜１９ｉ    止水栓
２０ａ〜２０ｉ    フロート弁
２１              吐水筒
２２              弁座
２３              フロータ支持部材
２４              フロータ
２５              軸部
２６              弁体
【図１】
0004708995.tif 000002
【図２】
0004708995.tif 000003
【図３】
0004708995.tif 000004
【図４】
0004708995.tif 000005
【図５】
0004708995.tif 000006